(57)【要約】【課題】  本発明の目的は表示画面に対し文字入力に使用する表示面積を極力小さくし、且つ文字が大きく見やすくするとともに、ローマ字入力が容易で、片手で文字入力ができる携帯情報端末を提供することである。【解決手段】  少なくとも上下２方向に操作でき且つその２方向とは別方向に操作できる同一または擬似同一の操作キー３と、その操作キー３を中心とし上下あるいは左右に各一つ配置された操作キー４と５を有し、操作キー３に文字入力時の「文字選択」と「決定」の操作を割り付け、操作キー４には未確定の平仮名を漢字や片仮名へ変換する「かな変換」とローマ字入力から英数字や記号の入力に切り替える「入力文字切り替え」の操作を割り付け、操作キー５には入力文字選択中の「キャンセル」と作成文書中の「デリート」を割り付けた携帯情報端末で、文字入力画面の文字選択枠が少なくとも３つで構成され、ローマ字変換データテーブルを用いれば実現できる。【選択図】  図１
2005293514.tif 000002
【特許請求の範囲】
【請求項１】
少なくとも所望の文字を入力する入力装置と入力および編集結果等を表示する液晶などの表示装置と該入力装置より入力された文字などを一時記憶したり、システムプログラムを格納したりする記憶装置と、それらをコントロールする制御装置を有する携帯情報端末において、少なくとも上下２方向に操作でき且つその２方向とは別方向に操作できる同一または擬似同一の第一の操作キーと、その第一の操作キーを中心とし上下あるいは左右に各一つ配置された第二の操作キーと第三の操作キーを有し、第一の操作キーに文字入力時に文字を選択する「文字選択」機能と選択した文字を決定する「決定」機能の操作を割り付け、第二の操作キーには未確定の平仮名を漢字や片仮名へ変換する「かな変換」機能とローマ字入力から英数字や記号の入力に切り替える「入力文字切り替え」機能の操作を割り付け、第三の操作キーには入力文字選択中の取り消しする「キャンセル」機能と作成文書中の削除を行なう「デリート」機能を割り付けたことを特徴とする携帯情報端末。
【請求項２】
第二の操作キーと第三の操作キーは第一の操作キーの近傍に配置されている上記請求項１記載の携帯情報端末。
【請求項３】
上記請求項１乃至２記載の携帯情報端末の文字入力装置において、文字入力画面の文字選択枠が少なくとも３つで構成されていることを特徴とする携帯情報端末。
【請求項４】
回転軸を中心に回動し、押し下げることが可能な第一の操作キーと、
前記第一の操作キーの近傍に配置された第二の操作キー及び第三の操作キーと、
情報を表示する表示装置と、を有し
前記第一の操作キーを第一の方向へ回動させることによって、前記表示装置に第一の順位で情報の選択候補を表示させ、
前記第一の操作キーを前記第一の方向とは異なる第二の方向へ回動させることによって、前記表示装置に第一の順位とは異なる第二の順位で情報の選択候補を表示させ、
前記第一の操作キーを押し下げることによって、前記表示装置に表示された情報のいずれかを選択又は決定させ、
前記第二の操作キーを押し下げることによって、未画定の平仮名を漢字又は片仮名へ変換させ、
前記第三の操作キーを押し下げることによって、入力文字選択中の取り消し又は削除を行なわせる
ことを特徴とする携帯情報端末。
【発明の詳細な説明】
【技術分野】
【０００１】
本発明は、携帯電話やＰＨＳ（Personal  Handy  Phone）、ＰＤＡ（Personal  Digital  Assistant）などに代表される携帯情報端末の文字入力に関する。
【背景技術】
【０００２】
近年、携帯電話やＰＨＳ、ＰＤＡなどに代表される携帯情報端末の普及が進んでいる。このような携帯情報端末は無線機能を内蔵あるいは無線機能を接続して使用できるため、インターネット接続や電子メールの送受信、掲示板への書き込みなど携帯情報端末から文字を入力する機会が多くなってきている。
【０００３】
このような携帯情報端末では携帯性を損なわないために操作キーをむやみに多くすることはできない。そのため携帯電話やＰＨＳでは、いわゆるテンキーに複数の文字を割り振り、文字入力を行う際には文字入力モードを選択した後、同一キーを複数回押す操作を複数回行うことによって任意の文字を選択する方式が現在広く採用されている。しかしテンキーによる文字入力は、たとえば「お」を入力したい場合には「あ」行に割当てられたキーを５回押さなければならず、また同じ行の文字を続けて入力する場合たとえば「あお」の入力の場合には「あ」行のキーを１回押して「あ」を選択後に「送り」キーを押してから再度「あ」行のキーを５回押さなければならず入力したい文字によってはキーを押す操作回数が多く、キーを押す指の移動も多くなる問題がある。
【０００４】
一方ＰDAでは、表示画面が比較的大きいことを利用して表示画面上に５０音表や英数字表を表示部に表示し、付属のペンで任意の文字を選択するいわゆる「ソフトキーボ−ド方式」や、表示画面に設けられた手書入力エリア内にペンで文字を書き、手書入力エリア内に書いた文字をソフト的に認識させて文字を入力する「手書きパッド方式」が現在広く採用されている。
【０００５】
ＰＤＡの表示画面が携帯電話やPHSの表示画面より大きいとはいえ、表示された５０音表や英数字表の各文字は小さくなってしまい、目的の文字をペンで選択して入力するためには慎重にせざるを得なかった。ソフトキーボード方式において、変換可能な文字が入力されたときに「変換」「採用」などの文字に対する処理決定キーを大きく表示することや、変換キーが押されたとき「次候補」「前候補」などの処理選択キーを大きく表示することにより、ペンによって「処理決定キー」や「処理選択キー」の選択を行う際の、操作性改善が提案されている。（例えば、特許文献１参照）
【特許文献１】特開２０００−３２２１８１号公報
【発明の開示】
【発明が解決しようとする課題】
【０００６】
ＰＤＡの画面が大きいことを利用し表示画面上にソフトキーボードや手書きパッドを表示しているため、表示画面全体に対して占有する範囲が大きく、文字入力時には表示画面が狭くなる問題がある。さらには文字入力時には付属のペンを使うため両手を使わなければならず片手しか使えない状態や状況では文字入力ができなかった。
【０００７】
本発明の目的は表示画面に対し文字入力に使用する表示面積を極力小さくし、且つ文字が大きく見やすくするとともに、ローマ字入力が容易で、片手で文字入力ができる文字入力装置を提供することである。
【課題を解決するための手段】
【０００８】
所望の文字を入力する入力装置と、入力及び編集結果を表示する表示装置と、入力された文字などを一時的に記憶したり、システムプログラムを格納する記憶装置と、それらをコントロールする制御装置を備えた携帯情報端末において、表示部には本文表示画面と文字選択枠を備えた文字選択画面を有しており、本体の一面に第一の操作キーと、その第一の操作キーの両側に第二、第三の操作キーを設けた。第一の操作キーはその回転に応じて第一の文字を第一の文字選択枠に表示し、第一の操作キーを押すことにより第一の文字選択枠の文字を確定する。同様に第二の文字選択枠と第三の文字選択枠の文字を確定する。本構成をとることにより、文字の入力、確定、修正などを片手で行えるため、文字入力に適した携帯情報端末を提供することができる。
【０００９】
また、文字選択画面の文字選択枠がローマ字変換に最低必要な少なくとも三つで構成し、ローマ字変換データテーブルを本体内部の記憶装置に格納している。文字選択枠を３つで構成することにより、各文字選択枠の文字を大きくでき視認性を改善した、文字入力に適した携帯情報端末を提供することができる。
【発明の効果】
【００１０】
本願によって開示される発明によって得られる効果は、表示画面に対し文字入力に使用する表示面積を極力小さくし、且つ文字が大きく見やすくするとともに、ローマ字入力が容易で、片手で文字入力ができる携帯情報端末を提供できることである。
【発明を実施するための最良の形態】
【００１１】
以下、本発明の第１の実施形態を図１から図６により説明する。
【００１２】
図１は、本発明の第１実施例の外観略図を示す図である。本体正面には表示装置である液晶１と入力装置であるタッチパネル２を備え、本体内部にはＣＰＵやメモリなどを搭載したメインキバン６とバッテリ７を内蔵し、それらをウエケース８とシタケース９で覆っている。本体左側面には回転可能なジョグキー３と、ジョグキーを中心として上に変換キー４と下にキャンセルキー５を備え、ジョグキー３は上下方向に回転して文字の選択を行い、ジョグキー３を回転中心方向へ押すことにより入力文字の確定を行う。本体右側面にはタッチパネル２を操作するスタイラスペン１０を備え、本体左上には無線機能に必要なアンテナ１１を備えており、インターネットへの接続や電子メ−ルの送受信を行うことができる。
【００１３】
図２は、本発明の第１の実施例における文字入力画面１２と従来のソフトキーボード画面１３、手書き入力パッド画面１４とを比較した図である。三者の画面サイズとドットピッチが同じ場合、文字入力部１６の面積はソフトキーボード画面１３と手書き入力パッド画面１４より本発明の文字入力画面１２の方が小さくできるため、文字表示部１５を大きく使うことができる。さらに文字入力部１６の面積が小さくても選択文字大きさはソフトキーボード画面１３の選択文字より大きくできる。
【００１４】
次にローマ字入力での入力操作例を説明する。図３に示すローマ字変換データテーブルに基づき、図４の第一枠選択枠１７の文字郡、第ニ枠選択枠１８の文字郡、第三枠選択枠１９の文字郡の三種類に分けられる。第一枠選択枠１７の文字郡にはローマ字だけではなく実際の文章に必要な句読点を含む「記号」と０から９までの「数字」、「改行」を含んでいる。第一枠選択枠１７の文字郡で選択ローマ字２０aを選択すると図３のローマ字変換データテーブルに基づき一文字で変換できる「あ行」の「Ａ、Ｉ、Ｕ、Ｅ、Ｏ」以外は、第ニ枠選択枠１８に選択ローマ字２０bが表示される。第二枠選択枠の入力においてもカナが決定しなかった場合は、同様に第三枠選択枠１９に選択ローマ字２０ｃが表示される。第一枠選択枠１７の「記号」、「数字」は選択されると、第ニ枠選択枠１８に選択記号２１、選択数字２２が表示される。もちろんここで説明している選択記号２１、選択数字２２は例であり、選択できる文字を増やしたり減らしたり変更したりしてもよい。
【００１５】
次に「先に行っています。」と文字入力する場合を例にとって、図５の本発明の第１の実施例における文字入力操作手順説明フロー図で説明する。「さ」の入力は、まず第一選択枠１７でジョグキー３を回転させて「Ｓ」を選択しジョグキー３を押すことにより「Ｓ」を決定する。「Ｓ」を決定した瞬間に自動的に第二選択枠１８での文字選択が可能となるため、続けてジョグキー３を回転させて「Ａ」を選択しジョグキー３を押すことにより「Ａ」を決定する。「Ａ」を決定した瞬間に携帯情報端末は図３のローマ字変換データテーブルから「ＳＡ」を「さ」に変換して表示画面１５に「さ」を表示する。このとき、まだ「さ」は漢字への変換が必要ないと判断されてはいないので文字にアンダーバーが付いている。
【００１６】
次に「き」、「に」の入力は前記「さ」と同様の入力手順を行う。ここまで入力した「さきに」を「先に」へ漢字変換するには本体側面に有している変換キー４を押すことにより変換できる。このとき、一発で「先に」と変換されない場合は再度変換キー４を押すことにより変換候補が表示画面１５に複数並び、ジョグキーを回転させて希望の変換文字を選択しジョグキーを押すことにより決定する。次に「い」の入力は前記「さ」と同様の入力手順を行う。次に「って」の入力は、第一選択枠１７でジョグキー３を回転させて「Ｔ」を選択しジョグキー３を長く押すことにより表示画面１５に「っ」が表示され第一選択枠１７の「Ｔ」も決定される。「Ｔ」を決定した瞬間に自動的に第二選択枠１８での文字選択が可能となるため、続けてジョグキー３を回転させて「Ｅ」を選択しジョグキー３を押すことにより「Ｅ」を決定する。「Ｅ」を決定した瞬間に携帯情報端末は図３のローマ字変換データテーブルから「ＴＥ」を「て」に変換して表示画面１５に「て」を表示する。このとき、まだ「て」は漢字への変換が必要ないと判断されてはいないので文字にアンダーバーが付いている。この「って」の入力は、「っ」と「て」に分けて「ＬＴＵ」と「ＴＥ」の入力操作を行っても良い。
【００１７】
次に「い」「ま」「す」の入力は、入力は前記「さ」と同様の入力手順を行う。最後の文字「。」の入力は、第一選択枠１７でジョグキー３を回転させて「記号」を選択しジョグキー３を押すことにより第一選択枠１７に記号が表示されるので再度ジョグキー３を回転させて「。」を選択しジョグキー３を押すことにより「。」を決定する。ここで「いっています。」を「行っています。」へ変換するときは、前記「先に」の変換手順と同様の手順となる。続けて文字を入力する場合は、今までの入力操作を繰り返します。これ以上入力しない場合は第一選択枠１７から「改行」をジョグキー３を回転させて選択し、ジョグキー３を長く押すことにより文字入力画面を終了します。この文字入力の終了操作は、「改行」を選択してのジョグキー長押しだけではなく、第一選択枠１７の選択文字に「終了」を用意してもよい。
【００１８】
文字入力を間違えた場合の誤入力訂正方法は大きく三種類あり各々の訂正方法を次に説明する。
【００１９】
第一の訂正方法は、第一選択枠１７で文字を決定した場合にその文字が間違いだったときは本体横のキャンセルキー５を押すことにより第一選択枠１７で再度選択可能になる。
【００２０】
第二の訂正方法は、第一選択枠１７で決定した文字が母音「Ａ」「Ｉ」「Ｕ」「Ｅ」「Ｏ」などの決定した瞬間に表示画面１５に表示されてしまう文字の場合で、この場合も本体横のキャンセルキー５を押すことにより表示画面１５から文字が消えて第一選択枠１７で再度選択可能となる。
【００２１】
第三の訂正方法は、既に表示画面１５に表示されている文章の途中の文字を訂正する場合、キャンセルキー５を長く押すことによりカーソルが表示画面１５の文章に表示されてジョグキー３を回転させて選択し、ジョグキー３を押すことにより文字をデリートできる。また、ジョグキー３を押しながら回転させることで連続した文字を複数選択することも可能である。
【００２２】
本体側面に配置したジョグキー３、変換キー４、キャンセルキー５は図６のように本体正面に配置してもいいし、正面に配置する場合はジョグキー３の変わりの操作が可能な「決定」機能を有した十字キー２３などでもよい。
以上、本発明を実施例に基づき説明したが、本発明は前記実施例に限定されるものではなく、その要旨を逸脱しない範囲で変更可能であることはいうまでもない。
【図面の簡単な説明】
【００２３】
【図１】本発明の第１の実施例における携帯情報端末の外観略図
【図２】本発明の第１の実施例における文字入力画面と従来の文字入力画面の比較図
【図３】本発明の第１の実施例におけるローマ字変換データテーブル図
【図４】本発明の第１の実施例における選択枠別の選択文字対応図
【図５】本発明の第１の実施例における文字入力操作手順説明フロー図
【図６】操作キーの配置例図
【符号の説明】
【００２４】
１・・・液晶
２・・・タッチパネル
３・・・ジョグキー
４・・・変換キー
５・・・キャンセルキー
６・・・メインキバン
７・・・バッテリ
８・・・ウエケース
９・・・シタケース
１０・・スタイラスペン
１１・・アンテナ
１２・・本発明の文字入力画面
１３・・ソフトキーボード画面
１４・・手書き入力パッド画面
１５・・文字表示部
１６・・文字入力部
１７・・第一枠選択文字
１８・・第ニ枠選択文字
１９・・第三枠選択文字
２０a、２０ｂ、２０ｃ・・選択ローマ字
２１・・選択記号
２２・・選択数字
２３・・十字キー
【図１】
2005293514.tif 000003
【図２】
2005293514.tif 000004
【図３】
2005293514.tif 000005
【図４】
2005293514.tif 000006
【図５】
2005293514.tif 000007
【図６】
2005293514.tif 000008